(57)【要約】【課題】感光体の温調温度を高く設定する環境においても、終夜で排熱手段を動作させることができるので、機内昇温によるトナーの劣化や機械の故障を防ぐことが可能となる画像形成装置の提供。【解決手段】本体ＡＣ／ＤＣ電源９１２をオフした後も終夜で通電を行なう常夜ＡＣ／ＤＣ電源９０９と、感光ドラム１４の温度を検出するサーモパイル９０２と、常夜ＡＣ／ＤＣ電源９０９により制御され、サーモパイル９０２により検知した感光ドラム１４の温度と設定温度とを比較して温調する通電制御回路９０４と、設定温度を設定する温度切り替えスイッチ９０７と、本体装置の排熱を行なう排熱ファン９１５とを備え、排熱ファン９１５は、温度切り替えスイッチ９０７により設定された設定温度に応じて、常夜ＡＣ／ＤＣ電源９０９により動作可能とする。【選択図】図６
2009139630.tif 000002
【特許請求の範囲】
【請求項１】
本体電源をオフした後も終夜で通電を行なう終夜電源と、
感光体の温度を検出する温度検出手段と、
前記終夜電源により制御され、前記温度検出手段により検知した前記感光体の温度と設定温度とを比較して温調する温調手段と、
前記設定温度を設定する温度設定手段と、
本体装置の排熱を行なう排熱手段と、
を備え、
前記排熱手段は、前記温度設定手段により設定された前記設定温度に応じて、前記終夜電源により動作可能とすることを特徴とする画像形成装置。
【発明の詳細な説明】
【技術分野】
【０００１】
本発明は、画像形成装置に関するものであり、加熱手段により加熱される被加熱体の温度検出、温度制御に関するものであり、例えば、画像形成装置における感光体の温度制御に関する。
【背景技術】
【０００２】
従来、電子写真技術を用いた画像形成装置には、感光体のコロナ放電を用いて感光体表面を帯電させ、露光、現像の過程を経ることで画像を形成するものがあり、複写機、ファクシミリ、プリンタ等として広く使用されている。しかし、これらの電子写真技術を用いた画像形成装置においては、感光体の表面にオゾン生成物が付着し、とくに高湿時において画像流れ（画像がぼける現象）が生ずることが知られている。有機感光体（ＯＰＣ）のように比較的表面の磨耗しやすい感光体の場合は、表面に形成したオゾン生成物等が研磨手段等によって磨耗除去されやすいが、あまり研磨効果を高めると、感光体として機能が低下し、寿命を短くしてしまう。一方、アモルファスシリコン感光体のように非常に硬く、表面に形成されたオゾン生成物等が磨耗除去されにくいものもある。
【０００３】
そこで、感光体内部または近傍に感光体用ヒータを配置し、感光体表面の温度を概略３５℃〜４５℃程度に制御することが行なわれている。この感光体の温度制御は、様々な目的で行なわれているが、主要目的としては、高湿時に発生する画像流れの防止および除去である。これは、コロナ帯電器内で発生したオゾンが感光体表面を化学的に変質させて親水基等が形成されるため吸湿しやすくなり、これが表面電位の横流れといった電子写真として致命的な現象を引き起こすため、先に述べた温度制御を行ない、水分を除去するものである。また、オゾンにより生成したＮＯｘ等の物質が感光体表面に付着し、これが同様に吸湿するため、同様に上記温度制御を行ない、水分を除去するものである。
【０００４】
これらの温度制御には従来、次に示すような方法がとられていた。まず、図９のように加熱源としてのヒータＨと温度検出手段としてのサーミスタＳ１、および、加熱源を温度検出手段からの出力により制御するヒータドライバＢを感光体である感光ドラムＤの内部に配置する。そして、ヒータＨの内部に配置されたサーミスタＳ１によりヒータＨの温度を直接検出する方法がある（例えば、特許文献１参照）。また、図１０のように加熱源であるヒータＨは感光体である感光ドラムＤの内部に配置するものの、温度検出手段としてのサーミスタＳ２（図示するようにＳ２は非接触サーミスタである）は、感光ドラムＤの外部の表面近傍に近接して配置する。このように、感光ドラムＤの表面の対流熱を検知することで、感光ドラムＤの外部に配置したヒータドライバＢによりヒータＨを制御して温度制御する方法（例えば、特許文献２参照）がとられていた。
【０００５】
これらの感光体ヒータ（感光ドラムＤのヒータＨ）を稼動させるかどうかは、設置環境によりサービスマンが環境スイッチを操作することにより行なう。環境スイッチがオンされると、本体のメインスイッチがオフされて装置が停止した状態でも感光体の温度制御は引き続き終夜で行なわれるようになっている。
【特許文献１】特開平１０−０４８９９９号公報
【特許文献２】特開平０５−３３３７５２号公報
【発明の開示】
【発明が解決しようとする課題】
【０００６】
一方、最近の高画質化された電子写真技術を用いた画像形成装置では、設置環境により感光体の温調温度を切り替える手法もとられるようになった（例えば、特開２００６−１１９３０８号公報参照）。これは、高温高湿環境においては、除湿のために高温（４２℃）で温調し、通常環境では低温（３２℃）で温調するものである。通常環境での温調の目的は、朝一立上げ時の感光体温度と機内温度を一定に保つことで、立上げ後の機内の温度変化を少なくし、感光体の温度変動を小さくし、画像の色むらや色味変動を抑えるためである。
【０００７】
しかしながら、このような制御を行なった場合、高温高湿環境においては、環境温度が高いにも関わらず、感光体温度を高く保っているため、機内温度が通常より高くなる。図１１に示すようにスタンバイ中に定着器の熱とドラム温調により、ある一定温度であった現像器温度（現像器雰囲気温度）は、プリント動作中に機内の昇温により上昇していく。そのような状態から主電源がオフされると、定着器の熱が機内に広がる一方、排熱ファンが主電源オフで停止してしまうため、更に機内温度がオーバーシュートしてしまう（図中、破線だ円で示す）。特に現像器温度が５０℃を超えるような状態が続くと現像器内のトナーが劣化したり凝集してしまい、次回の稼動時に画像不良を引き起こしたり、場合によっては、熱によりトナーが溶けて固まってしまい、故障してしまうことがあった。
【０００８】
本発明は、このような点に着目して成されたもので、感光体温度を高く保ちたい設置環境において、終夜電源により排熱手段を動作させ本体装置の内部の排熱を行ない、トナーの劣化や装置故障を防ぐことが可能となる画像形成装置を提供することを課題とする。
【課題を解決するための手段】
【０００９】
前記課題を解決するために、本発明の画像形成装置は、以下の構成を備える。
【００１０】
（１）本体電源をオフした後も終夜で通電を行なう終夜電源と、感光体の温度を検出する温度検出手段と、前記終夜電源により制御され、前記温度検出手段により検知した前記感光体の温度と設定温度とを比較して温調する温調手段と、前記設定温度を設定する温度設定手段と、本体装置の排熱を行なう排熱手段とを備え、前記排熱手段は、前記温度設定手段により設定された前記設定温度に応じて、前記終夜電源により動作可能とすることを特徴とする画像形成装置。
【発明の効果】
【００１１】
本発明によれば、感光体の温調温度を高く設定する環境においても、終夜で排熱手段を動作させることができるので、本体装置の機内昇温によるトナーの劣化や機械の故障を防ぐことが可能となる。
【発明を実施するための最良の形態】
【００１２】
以下、本発明に関わる画像形成装置を、図面を用いて詳しく説明する。
【実施例１】
【００１３】
以下の添付図面を使用し、本発明における実施の形態（実施例１）に関して説明する。
【００１４】
まず、本発明の実施形態における温度検出、温度制御を利用した画像形成装置を好適に示す一例たる画像形成装置１に関して図１に基づき説明する。尚、図１は、画像形成装置１の概略構成を示す図である。
【００１５】
画像形成装置１は、原稿自動送り装置２により原稿台ガラス３の所定位置をシートスルーする原稿（図示せず）、及び、順次送られ、原稿台ガラス３上に載置された原稿（図示せず）の画像データを、原稿照明ランプ４が露光又は露光走査するよう設定されている。ここで、原稿照明ランプ４は、例えばハロゲンランプ等にて構成される。
【００１６】
画像形成装置１に備えられた原稿照明ランプ４は、露光または露光走査にて得られた反射光像の軌道を反射して変更するための走査ミラー５、６、７と共に、画像形成装置１に紙面法線方向及び紙面水平方向に自在に支持された光学走査ユニットに保持されている。そして、光学走査ユニットが紙面法線方向及び紙面水平方向への往復運動を繰り返すことにより、原稿の全画像データが原稿照明ランプ４にて露光走査されることになる。これにより、得られた反射光像は、走査ミラー５、６、７にて軌道を変更されたのち、アナログデータをデジタルデータに変換するためのＣＣＤユニット８へと導かれる。
【００１７】
画像形成装置１に備えられたＣＣＤユニット８は、例えば公知のＣＣＤ等から構成される撮像素子９と、得られた反射光像を撮像素子９に結像する結像レンズ１０と、例えば撮像素子９を駆動するＣＣＤドライバ１１とを有する。そして、得られた反射光像に応じて撮像素子９から出力される出力信号を、対応するデジタルデータ、例えば、８ビットのデジタルデータに変換したのち、画像形成装置１に備えられたコントローラ部１２に入力するようになっている。
【００１８】
画像形成装置１に備えられた原稿照明ランプ４の露光走査によって得られた反射光像はＣＣＤユニット８内の撮像素子９に結像されるが、原稿照明ランプ４の長手方向の配光分布や撮像素子９の感度ムラ等の影響を排除するため白色板６２が備えられている。白色板６２は原稿照明ランプ４にて読み取る面に白色の塗装が為されており、この白色板６２の反射光像を撮像素子９に結像させ、この時のデジタルデータを画像形成装置１に備えられたコントローラ部１２に入力する。
【００１９】
また、画像形成装置１は、円筒状または円柱状の潜像担持体として感光ドラム１４と、感光ドラム１４の外周面を除電して次なる画像形成に備える前露光ランプ１５と、を備える。また、感光ドラム１４の外周面を所定電位分布にコロナ帯電により帯電せしめて潜像形成に備える一次帯電器１６と、を備える。また、例えば公知の半導体レーザ等により構成され、２つの光源を有するレーザーユニット１７と、を備える。レーザーユニット１７は、一次帯電器１６の帯電処理を受けた感光ドラム１４の外周面を、コントローラ部１２から入力されたデジタルデータに基づき露光する。これにより、与えられた画像データに応じた静電潜像を感光ドラム１４の外周面上に形成する。さらに、感光ドラム１４の外周面上に形成された静電潜像を現像剤（以下、トナーと称する）を付与して顕像（トナー像）へと現像する現像手段たる現像器１８とを備えている。
【００２０】
このように、画像形成装置１に備えられた感光ドラム１４の周囲には、前露光ランプ１５と、一次帯電器１６と、現像器１８と、が設けられている。また、感光ドラム１４の周囲には、転写前に、感光ドラム１４の外周面上の顕像に高圧を付与する転写前帯電器１９と、例えば公知のコロナ放電等にて顕像を記録紙Ｐへと転写する転写帯電器２０と、が設けられている。さらに、感光ドラム１４の周囲には、転写処理の終了した記録紙Ｐを感光ドラム１４の外周面から分離する分離帯電器２１と、転写終了後に感光ドラム１４の外周面上に残留した現像剤を除去して回収するクリーナ２２とが設けられている。
【００２１】
すなわち、感光ドラム１４の外周面上に形成されたトナー像は、先ず転写前帯電器１９にて高圧付与される。次に、複数枚の記録紙Ｐを例えばサイズごとに分類して収納する給紙ユニット２３、２４、２５のいずれかから、転写処理される記録紙Ｐが、レジストローラ２６によるタイミング設定等を経て、感光ドラム１４と転写帯電器２０との間の転写領域に搬送される。そして、転写領域に達した記録紙Ｐは、転写帯電器２０のコロナ放電等により感光ドラム１４の外周面上のトナー像を転写されたのち、分離帯電器２１により感光ドラム１４の外周面から分離されることとなる。
【００２２】
一方、転写処理の終了した感光ドラム１４は、外周面上に残留した現像剤をクリーナ２２により除去することにより、次なる画像形成に備えられる。
【００２３】
更に、画像形成装置１は、熱供給及び圧力付与により定着処理をなす定着器２７と、転写領域にてトナー像を転写された記録紙Ｐを定着器２７へと搬送する搬送ベルト２８と、フラッパ２９と、中間トレイ３０と、を備えている。そして、ステイプルソータ３１または製本装置（グルーバインダ）３２のいずれか一方の装置を備えている。
【００２４】
画像形成装置１に備えられたフラッパ２９は、コントローラ部１２の制御に基づき、定着器２７にて定着処理の為された記録紙Ｐを中間トレイ３０、又は、ステイプルソータ３１のいずれか一方に搬送するようになっている。なお、画像形成装置１にステイプルソータ３１ではなくグルーバインダ３２が備えられているときには、中間トレイ３０、又は、グルーバインダ３２のいずれか一方に搬送するようになっている。
【００２５】
画像形成装置１に備えられた中間トレイ３０は、搬送ローラ３３、３４、３５、３６を介して搬送されてきた記録紙Ｐを、同一面上に複数の画像を形成するモード、所謂、多重転写モードが実行されている場合には、表裏反転せずに再搬送ローラ３７へと搬送する。一方、同一の記録紙Ｐの両面に画像を形成するモード、所謂、両面複写モードが実行されている場合には、表裏反転して再搬送ローラ３７へと搬送するようになっている。
【００２６】
画像形成装置１に備えられた再搬送ローラ３７は、中間トレイ３０から搬送されてきた記録紙Ｐをレジストローラ２６へと搬送するようになっており、以て、レジストローラ２６に達した記録紙Ｐは、再度転写領域へと搬送されて転写処理を為される。次に、搬送ベルト２８にて定着器２７へと搬送されて定着処理を為されたのち、ステイプルソータ３１或いはグルーバインダ３２に排紙される。
【００２７】
さて、ステイプルソータ３１は、複数枚の記録紙Ｐを連続して画像を形成するモード、所謂、連続複写モードが実行されているときなどに、所定枚数の範囲内において、定着処理の為された複数枚の記録紙Ｐを各ビン３１Ａごとに一枚ずつ仕分け可能な装置である。ステイプルソータ３１が画像形成装置１に備えられている場合には、ステイプル部３１Ｂがコントローラ部１２の制御に基づきステイプルの実行をなすように設定される。
【００２８】
一方、グルーバインダ３２は、定着処理の為された複数枚の記録紙Ｐを製本可能な装置である。グルーバインダ３２が画像形成装置１に備えられた場合には、バインダ部３２Ａがコントローラ部１２の制御に基づき、定着処理の為された複数枚の記録紙Ｐより成る紙束に背表紙を糊付けして製本し、スタッカー３２Ｂに貯えるよう設定される。
【００２９】
次に、画像形成装置１に備えられたコントローラ部１２に関して図２に基づき説明する。尚、図２は、コントローラ部１２の概略構成を示すブロック図である。
【００３０】
コントローラ部１２は、画像形成装置全体の制御をなすとともに、使用者による操作パネル１３の手動操作にそって、ＣＣＤユニット８から入力されたデジタルデータを画像処理する装置である。コントローラ部１２は次のように構成される（図中、破線で示す）。まず、画像形成装置全体の制御を主として担うＣＰＵ３８と、装置全体の制御手順（制御プログラム）等が予め記憶されているＲＯＭ３９と、を有する。また、入力データの記憶や作業記憶領域等として用いられる主記憶装置たるＲＡＭ４０と、装置間のインターフェースをなすＩ／Ｏポート４１と、を有する。さらに、使用者の操作パネル１３の手動操作に基づき、ＣＣＤユニット８から入力されたデジタルデータを画像処理する画像処理部４２とを有している。
【００３１】
コントローラ部１２の有するＣＰＵ３８のアドレスバス（図示せず）及びデータバス（図示せず）は、バスドライバ・アドレスデコーダ回路４３を介してＲＯＭ３９、ＲＡＭ４０、Ｉ／Ｏポート４１及び画像処理部４２と接続されている。
【００３２】
コントローラ部１２の有するＩ／Ｏポート４１は、操作パネル１３と、画像形成装置１に備えられた光学走査ユニットを駆動するモータ等の主な装置の駆動をなすためのモータ類４４に接続されている。また、電磁クラッチ類４５（図中、単にクラッチ類と記す）及び電磁ソレノイド類４６（図中、単にソレノイド類と記す）と、例えば転写領域へと搬送される記録紙Ｐを検知するための紙検知センサ類４７とに接続されている。また、現像器１８のトナーの収容量を検知するためのトナー残量検知センサ４８と、一次帯電器１６、転写前帯電器１９、転写帯電器２０及び分離帯電器２１へ高圧を出力するための高圧ユニット５１とに接続されている。さらに、感光ドラム１４の外周面の非画像領域に設けられ、レーザーユニット１７から照射されたレーザＬａを受光するためのビーム検知センサ５２とに接続されている。
【００３３】
次にコントローラ部１２の有する画像処理部４２に関して図３に基づき説明する。尚、図３は、画像処理部４２の概略構成を示すブロック図である。
【００３４】
画像処理部４２にあっては、先ず、ＣＣＤユニット８によりアナログデータからデジタルデータに変換し、シェーディング回路５３にて画素間のバラツキを補正する。このあと、変倍回路５４により記録紙Ｐに画像を形成するモードが縮小コピーモードである場合には、デジタルデータの間引き処理を行ない、一方、記録紙Ｐに画像を形成するモードが拡大コピーモードの場合には、デジタルデータの補間処理を行なう。更に、シェーディング回路５３からはエラー信号がＩ／Ｏポート４１に対して出力される。
【００３５】
次に変倍回路５４にて間引き処理或いは補間処理のいずれかがなされたデジタルデータは、エッジ強調回路５５により、例えば５×５のウインドウで２次微分を行なう等にて、画像のエッジを強調される。
【００３６】
さて、エッジ強調回路５５にてエッジ強調されたデジタルデータは、輝度データであることから、レーザーユニット１７にデジタルデータを出力するためには濃度データに変換する必要がある。更に中間濃度等の階調表現を記録紙Ｐに画像を形成するモードに応じて変更するために、γ変換回路５６のテーブルサーチにより、輝度データから濃度データへと変換され、更に、合成回路５８に入力される。
【００３７】
次に、輝度データから濃度データへと変換されたデジタルデータを入力された合成回路５８は、データ変換回路６０へとデータを出力する。このとき、合成回路５８は、入力されたデジタルデータと、例えばＤＲＡＭ等により構成される画像用メモリ５９（図中、単にメモリと記す）内の画像データとを、選択的に、或いは、ＯＲを採ることにて出力する。尚、画像用メモリ５９に対するリードライト制御はメモリ制御部６１により為されるように設定されている。
【００３８】
よって、データ変換回路６０に入力されたデジタルデータは、使用者の操作パネル１３の手動操作に基づき設定された画像形成のモードに応じたパルスを有する。そして、これとともに、レーザーユニット１７のそれぞれの光源に対応するようにデジタルデータを生成し、レーザーユニット１７へと出力される。
【００３９】
次に、画像形成装置１に備えられた操作パネル１３に関して図４に基づき説明する。尚、図４は操作パネル１３の概略構成を示す平面図である。
【００４０】
操作パネル１３は、次のような役割を果たす装置である。すなわち、使用者が、手動操作にて、転写及び定着に関するモード、画像形成の為されるシート状の転写材としての記録紙Ｐの枚数、或いは記録紙Ｐに形成される画像の濃度等を設定することにより、コントローラ部１２がなす画像処理の指示をなす装置である。
【００４１】
故に、操作パネル１３は、公知のタッチパネル形態を採られており、次のように構成される。すなわち、表示手段たる表示部６３と、テンキー６４と、スタートキー６５と、リセットキー６６と、ストップキー６７と、クリアキー６８と、＃キー６９と、ＩＤキー７０と、余熱キー７１と、割り込みキー７２と、を有している。さらに、電源表示ランプ７３と、電源スイッチ７４とを有している。
【００４２】
操作パネル１３の有する表示部６３は、使用者への指示をメッセージ等にて表示可能となっており、テンキー６４は、使用者がコピー枚数等を入力するためのキーである。
【００４３】
又、操作パネル１３の有するスタートキー６５は、画像形成装置１に画像形成の開始を指示するためのキーであり、リセットキー６６は、モード等の設定を初期設定に戻すためのキーである。
【００４４】
更に、操作パネル１３の有するストップキー６７は、画像形成装置１の全動作を中断させるためのキーであり、クリアキー６８は、テンキー６４にて入力されたコピー枚数等を初期設定値に戻すためのキーである。
【００４５】
また、操作パネル１３の有する＃キー６９は、画像形成装置１の付属のオプションにて使用するためのキーであり、ＩＤキー７０は、特定の使用者のみに対して操作可能にする機能、所謂、ＩＤ機能を有するキーである。
【００４６】
更に、操作パネル１３の有する余熱キー７１は、余熱モードのオン、オフ（ＯＮ／ＯＦＦ）をなすためのキーであり、割り込みキー７２は、複写動作中途に割り込んで別の画像形成をなすためのキーである。また、電源表示ランプ７３は、画像形成装置１への通電が為されていないことを「光」にて知らせるものである。
【００４７】
更に、操作パネル１３の有する電源スイッチ７４は、画像形成装置１のオフ時には、ＡＣ／ＤＣ電源、及び、ＡＣ／ＤＣ電源に接続されている２次側回路（図示せず）を通電状態とする。且つ、ＡＣ／ＤＣ電源に接続されている１次側回路（図示せず）、及び表示部６３をオフ状態とし、一方、画像形成装置１のオン時には、ＡＣ／ＤＣ電源、１次側回路、２次側回路、及び、表示部６３を、全て、オン状態とするためのものである。
【００４８】
次に、画像形成装置１に備えられたレーザーユニット１７等について図５に基づき説明する。尚、図５はレーザーユニット１７等の概略構成を示す図である。
【００４９】
レーザーユニット１７はコントローラ部１２によって生成されたデジタルデータを光ビームに変換し、この光ビームを走査露光してデジタルデータに対応した潜像を形成するための装置である。
【００５０】
故に、レーザーユニット１７は、次のような構成を有している。すなわち、レーザ発光部１０１と、ポリゴンミラー１０２とポリゴンミラー１０２を回転させるためのポリゴンモータ１０３と、結像レンズ１０４と、反射ミラー１０５と、を有している。さらに、ビーム検知センサ５２にレーザ発光部１０１のレーザ光を入射させるためのＢＤ反射ミラー１０７を有している。反射ミラー１０５で反射されたレーザ光は感光ドラム１４を露光走査し、感光ドラム１４に潜像を形成する。
【００５１】
レーザ発光部１０１には、８０μｍ間隔で２つの発光部をもつ半導体レーザで、感光ドラム１４上で２本のレーザ光（Ａレーザ、Ｂレーザ）の走査線間隔が所定の値となるように傾けて配置されている。
【００５２】
次に、感光ドラム１４（感光体）（図中、単にドラムと記す）の温度制御にかかる構成を図６により説明する。感光ドラム１４の内部にはヒータ９０１が設置されている。ヒータ９０１の制御を行なうドラムヒータ制御基板９０６には、常夜ＡＣ／ＤＣ電源９０９（終夜電源）とヒータ９０１への電力をオンオフする例えば、トライアックなどのゲート制御式半導体スイッチ９０５がある。さらに、温度検出手段たるサーモパイル９０２の受け回路９０３、受け回路９０３からの出力と温度切り替えスイッチ９０７の設定によりゲート制御式半導体スイッチ９０５の通電を制御する通電制御回路９０４（温調手段）がある。そして、環境スイッチ９１０がオンされることで、ヒータ９０１（ドラムヒータ）の温調制御が行なわれる。
【００５３】
温調制御は、温度切り替えスイッチ９０７がオープンの場合は３２℃（設定温度）、クローズの場合は４２℃（設定温度）で行なわれる。感光ドラム１４の表面の温度を検知するために、感光ドラム１４に対向して配置されたサーモパイル９０２（サーモパイル式温度センサ）からの出力信号が受け回路９０３を通して通電制御回路９０４に入力される。そして、通電制御回路９０４では、サーモパイル９０２（サーモパイル式温度センサ）の出力が温度切り替えスイッチ９０７（温度設定手段）で設定された所定温度に達しているかどうかを判定する。ここで、所定温度以下であれば、スイッチ手段であるゲート制御式半導体スイッチ９０５に通電を指示してヒータ９０１への電力を供給し、感光ドラム１４の表面の温度を一定に保つ。
【００５４】
次に、温度切り替えスイッチ９０７と排熱ファン９１５（排熱手段）の動作を図７で説明する。メインスイッチ９１１は本体ＡＣ／ＤＣ電源９１２（本体電源）への電力供給をオンオフするスイッチである。このスイッチを介して本体ＡＣ／ＤＣ電源９１２にＡＣ電源が供給される。コントローラ９１３は本体内の各種負荷の制御を行ない、モータやファンのドライバ機能をもつドライバ基板９１４もコントローラ９１３からの制御信号により動作する。排熱ファン９１５は、本体装置の排熱を行なうファンであり、本体電源が入った状態では２４Ｖで駆動されている。
【００５５】
メインスイッチ９１１がオンされ、本体ＡＣ／ＤＣ電源９１２へＡＣ電源が供給されると、コントローラ９１３およびドライバ基板９１４に通電される。コントローラ９１３はトランジスタ９１７に対してオン信号を送り、トランジスタ９１７がオンされて排熱ファン９１５に対して２４Ｖが供給される。一方、メインスイッチ９１１がオフされ、環境スイッチ９１０がオンされてドラムヒータ制御基板９０６に電力が供給された状態で、温度切り替えスイッチ９０７が４２℃設定の場合、スイッチ９０７はクローズ状態となっている。このため、トランジスタ９１６のベースに電流が流れてトランジスタ９１６がオンする結果、常夜ＡＣ／ＤＣ電源９０９から供給された１２Ｖがダイオード９１９にかかる。ダイオード９１９とダイオード９１８はＯＲ回路を構成しており、排熱ファン９１５に対して１２Ｖが供給される結果、排熱ファン９１５は半速運転される。つまり、各スイッチの場合分けをすると、次のようになる。メインスイッチ９１１がオン、環境スイッチ９１０がオン、温度切り替えスイッチ９０７がオンの状態では、ダイオード９１８から２４Ｖが供給されて排熱ファン９１５は全速運転しており、ダイオード９１９のアノードには１２Ｖがかかった状態になっている。メインスイッチ９１１がオフされると、トランジスタ９１７からの２４Ｖの供給がなくなるが、環境スイッチ９１０がオンの状態でダイオード９１９から１２Ｖが供給されるので、排熱ファン９１５は半速運転に切り替わり、継続して排熱が行なわれる。すなわち、排熱ファン９１５は、温度切り替えスイッチ９０７により設定された設定温度に応じて、常夜ＡＣ／ＤＣ電源９０９により動作可能とする。
【００５６】
このように動作する結果、現像器１８の雰囲気温度は図８のようになる。太い実線が環境スイッチ９１０オンの状態、温度切り替えスイッチ９０７が４２℃設定の状態でプリント動作直後にメインスイッチ９１１をオフしたものである。図８に示すように、排熱ファン９１５の半速回転により排熱されるために、排熱ファン９１５が回転していない場合（太い破線）と比べて昇温が抑えられており、５０℃を超えていない。
【００５７】
このように、感光ドラム１４の温調温度を高く設定（例えば、４２℃設定）する環境においても、終夜で排熱ファン９１５を動作させることができるので、機内昇温によるトナーの劣化や機械の故障を防ぐことが可能となる。
【００５８】
［その他の実施例］
以上述べた実施例では、温度検出手段としてサーモパイル９０２を使用した例をあげたが、その他にも、通常のサーミスタやサーミスタ式非接触温度センサ（例えば石塚電子株式会社製ＮＣセンサ）を使用しても同様の効果が得られる。
【００５９】
また、温度設定方法としてスイッチによる２段階の切り替えで説明したが、例えば、可変抵抗器を使った無段階設定や、ＤＩＰスイッチを使用した複数段切り替えの場合でも本特許を適用することができる。
【図面の簡単な説明】
【００６０】
【図１】本発明に係る画像形成装置の一実施例を示す概略構成図
【図２】本発明に係る画像形成装置のコントローラ部の概略構成を示すブロック図
【図３】本発明に係る画像形成装置の画像処理部の概略構成を示すブロック図
【図４】本発明に係る画像形成装置の操作パネルの概略構成を示す平面図
【図５】本発明に係る画像形成装置のレーザーユニット等の概略構成を示す斜面図
【図６】本発明に係る画像形成装置の感光ドラムの温度制御に係る構成を説明する図
【図７】本発明に係る画像形成装置の温度切り替えスイッチと排熱ファンの動作を示す図
【図８】本発明に係る現像器雰囲気温度の変化を示すグラフ
【図９】従来例に係る感光体の温度検出と温度制御を説明する断面図
【図１０】従来例に係る感光体の温度検出と温度制御を説明する断面図
【図１１】従来例に係る現像器雰囲気温度の変化を示すグラフ
【符号の説明】
【００６１】
１        画像形成装置（本体装置）
１４      感光ドラム（感光体）
９０１    ヒータ
９０２    サーモパイル（温度検出手段）
９０３    受け回路
９０４    通電制御回路（温調手段）
９０５    ゲート制御式半導体スイッチ
９０６    ドラムヒータ制御基板
９０７    温度切り替えスイッチ（温度設定手段）
９０９    常夜ＡＣ／ＤＣ電源（終夜電源）
９１０    環境スイッチ
９１１    メインスイッチ
９１２    本体ＡＣ／ＤＣ電源（本体電源）
９１３    コントローラ
９１４    ドライバ基板
９１５    排熱ファン（排熱手段）
【図１】
2009139630.tif 000003
【図２】
2009139630.tif 000004
【図３】
2009139630.tif 000005
【図４】
2009139630.tif 000006
【図５】
2009139630.tif 000007
【図６】
2009139630.tif 000008
【図７】
2009139630.tif 000009
【図８】
2009139630.tif 000010
【図９】
2009139630.tif 000011
【図１０】
2009139630.tif 000012
【図１１】
2009139630.tif 000013